(57)【要約】【課題】開封するときにキャップをスパウトから容易に分離でき、キャップでスパウトを再封止したときに密封性と外観性が良好であり、流通過程で衛生上の危惧がない押込み方式ワンピース口栓を提供する。【解決手段】スパウト２００  の注出筒部２２０  の上端内周面に、環状脆弱薄肉部３００  を介して、キャップ１００  の周壁部１２０  の先端部をスパウト内へ垂下して、スパウトの上方にキャップが接続する押込み方式ワンピース口栓であり、キャップの周壁部の上端部外周面に複数個の回転用突起１２１  を周方向へ等間隔で突設し、回転用突起の下方で環状脆弱薄肉部より上方の周壁部外周面に、下方内側へ傾斜する傾斜面をもつ封止リング１２２  を設け、スパウトの注出筒部の内周面に、キャップの封止リングの傾斜面上端と密接する垂直密接面２２１  を設ける。【選択図】図１
2004244068.tif 000002
【特許請求の範囲】
【請求項１】
スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、該回転用突起の下方で前記環状薄肉脆弱線部より上方の周壁部外周面に、下方内側へ傾斜する傾斜面をもつ封止リングを設け、かつ前記スパウトの注出筒部の内周面に、前記キャップの封止リングの傾斜面上端と密接する垂直密接面を設けたことを特徴とする押込み方式ワンピース口栓。
【請求項２】
スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、該回転用突起の下方で前記環状薄肉脆弱線部より上方の周壁部外周面に、外周に垂直密着面をもつ封止リングを設け、かつ前記スパウトの注出筒部の内周面に、前記キャップの封止リングの外周の垂直密着面と密接する垂直密接面を設けたことを特徴とする押込み方式ワンピース口栓。
【請求項３】
スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、該回転用突起の下方で前記環状薄肉脆弱線部より上方の周壁部外周面に、垂直密接面と該垂直密接面の下端に咬合リングを設け、かつ前記スパウトの注出筒部の内周面に、前記キャップの垂直密接面と密接する垂直密接面を設け、該垂直密接面の下端に前記キャップの咬合リングと咬合する咬合段差を設けたことを特徴とする押込み方式ワンピース口栓。
【請求項４】
前記環状薄肉脆弱線部のパーティングライン上の外側上面に、破断誘発突起を設けたことを特徴とする請求項１乃至３記載の押込み方式ワンピース口栓。
【発明の詳細な説明】
【０００１】
【発明の属する技術分野】
本発明は、液体用紙容器などの容器の注出位置に突設し、キャップとスパウトとが開封時に分離可能に一体となっている押込み方式ワンピース口栓に関するものである。
【０００２】
【従来の技術】
従来、ワンピース口栓（１０）としては、図７に示すように、スパウト（２００）の注出筒（２２０）の上端に、キャップ（１００）を裏返しの状態で、接続部にＶ字状のカット溝（２２３）を形成して一体成形したものが知られている（例えば、特許文献１参照）。
【０００３】
【特許文献１】
特開平５−２２９５６６号公報
【０００４】
【発明が解決しようとする課題】
しかしながら、上述の従来のワンピース口栓は、開封するためキャップをスパウトから分離しようとしたときに、接続部にＶ字状のカット溝が形成されているが肉厚のため切断しにくく、スパウトの注出筒の上端に残る破断バリがキャップの密封性を損なうことがあり、キャップの天板上面に残る破断バリがキャップの外観性を損なうことがあった。また、流通過程で、キャップが裏返しの状態であるため、衛生上にも問題があった。
【０００５】
本発明は、上述の従来のワンピース口栓の問題を解決したものであり、開封するときに、キャップをスパウトから容易に分離でき、そのキャップでスパウトを再封止したときに、密封性と外観性が良好で、また、流通過程で衛生上の危惧がない押込み方式ワンピース口栓を提供するものである。
【０００６】
【課題を解決するための手段】
すなわち、本発明の第１の発明は、スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、この回転用突起の下方で前記環状薄肉脆弱線部より上方の周壁部外周面に、下方内側へ傾斜する傾斜面をもつ封止リングを設け、かつ前記スパウトの注出筒部の内周面に、前記キャップの封止リングの傾斜面上端と密接する垂直密接面を設けたことを特徴とする押込み方式ワンピース口栓である。
【０００７】
次に、本発明の第２の発明は、スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、この回転用突起の下方で前記環状薄肉脆弱線部より上方の周壁部外周面に、外周に垂直密着面をもつ封止リングを設け、かつ前記スパウトの注出筒部の内周面に、前記キャップの封止リングの外周の垂直密着面と密接する垂直密接面を設けたことを特徴とする押込み方式ワンピース口栓である。
【０００８】
次に、本発明の第３の発明は、スパウトの注出筒部の上端内周面に、水平な環状薄肉脆弱線部を介して、キャップの周壁部の先端部を前記スパウト内へ垂下して、前記スパウトの上方に前記キャップが接続する押込み方式ワンピース口栓であって、前記キャップの周壁部の上端部外周面に複数個の回転用突起を周方向へ等間隔で突設し、この回転用突起の下方で前記環状薄肉脆弱線部より上方の周壁部外周面に、垂直密接面とこの垂直密接面の下端に咬合リングを設け、かつ前記スパウトの注出筒部の内周面に、前記キャップの垂直密接面と密接する垂直密接面を設け、この垂直密接面の下端に前記キャップの咬合リングと咬合する咬合段差を設けたことを特徴とする押込み方式ワンピース口栓である。
【０００９】
そして、本発明の第４の発明は、前記環状薄肉脆弱線部のパーティングライン上の外側上面に、破断誘発突起を設けたことを特徴とする請求項１乃至３記載の押込み方式ワンピース口栓である。
【００１０】
【作用】
本発明の押込み方式ワンピース口栓（１０）は、図１（ａ）、図３（ａ）及び図４（ａ）に示すように、キャップ（１００）の周壁部（１２０）の先端部をスパウト（２００）内へ垂下して、スパウトの注出筒部（２２０）の上端内周面に、水平な環状薄肉脆弱線部（３００）を介して、キャップの周壁部（１２０）の外周面を接続するものであるため、開封するときに、キャップの周壁部の上端部外周面に設けられた回転用突起（１２１）によってキャップを回転しながらスパウトへ押し込むと、環状薄肉脆弱線部が破断して、キャップがスパウトから容易に分離する。
【００１１】
また、本発明の押込み方式ワンピース口栓（１０）は、図１（ｂ）に示すように、分離したキャップ（１００）でスパウト（２００）を再封止したときに、キャップの周壁部（１２０）外周面に設けた封止リング（１２２）の傾斜面上端がスパウトの注出筒部（２２０）の内周面に設けた垂直密接面（２２１）に密着し、または、図３（ｂ）に示すように、キャップ（１００）の周壁部（１２０）外周面に設けた封止リング（１２３）の外周の垂直密着面がスパウト（２００）の注出筒部（２２０）の内周面に設けた垂直密接面（２２１）に密着し、または、図４（ｂ）に示すように、キャップ（１００）の周壁部（１２０）外周面に設けた垂直密接面（１２５）がスパウト（２００）の注出筒部（２２０）の内周面に設けた垂直密接面（２２１）に密着に密接すると同時に、キャップの咬合リング（１２５）がスパウトの咬合段差（２２２）に咬合するため、キャップのスパウトに対する密封性が良好である。また、図１（ｂ）、図３（ｂ）及び図４（ｂ）に示すように、環状薄肉脆弱線部の破断バリ（３０１）（破断残部）は、口栓（１０）の外観からは見えないため、口栓の外観性が良好である。
【００１２】
また、本発明の押込み方式ワンピース口栓（１０）は、図１（ａ）、図３（ａ）及び図４（ａ）に示すように、キャップ（１００）がスパウト（２００）に正立の状態で接続されているため、容器に付けられたのちの流通過程において、キャップの内面が汚染されることがなく、衛生上の危惧がない。
【００１３】
【発明の実施の形態】
本発明の押込み方式ワンピース口栓（１０）は、図１（ａ）、図３（ａ）及び図４（ａ）に示すように、キャップ（１００）とスパウト（２００）（注出具）とからなり、キャップの周壁部（１２０）の先端部をスパウト内へ垂下して、スパウトの注出筒部（２２０）の上端内周面とキャップの周壁部外周面とを、水平な環状薄肉脆弱線部（３００）を介して接続したワンピース口栓であり、開封するときには、キャップをスパウトへ押し込んで環状薄肉脆弱線部を破断して、キャップをスパウトから分離し、抜脱してスパウトを開封するものである。そして、開封したのちに、図１（ｂ）、図３（ｂ）及び図４（ｂ）に示すように、分離したキャップ（１００）をスパウト（２００）に押し込んでスパウトを再封止するものである。なお、本発明の押込み方式ワンピース口栓は、低密度ポリエチレンなどの熱可塑性樹脂を射出成形して、キャップとスパウトを一体に作製するものであり、液体用紙容器、パウチ、チューブなどの注出位置に、熱融着法や接着剤法などにより接着するものである。
【００１４】
そして、本発明の実施形態１の押込み方式ワンピース口栓（１０）のキャップ（１００）の構造は、図１（ａ）及び図２に示すように、天板部（１１０）の外周に、下方内側へ傾斜する周壁部（１２０）を垂設し、この周壁部の上端部外周面に、４個の回転用突起（１２１）を周方向へ等間隔で外側へ突設し、この回転用突起の下方で環状薄肉脆弱線部（３００）より上方の周壁部外周面に、下方内側へ傾斜する傾斜面をもつ封止リング（１２２）を二段に設けるものである。スパウト（２００）は、環状台座部（２１０）に注出筒部（２２０）を立設し、この注出筒部の内周面に、図１（ｂ）に示すように、キャップ（１００）の封止リング（１２２）の傾斜面上端と密接する垂直密接面（２２１）を設けるものである。また、環状台座部の外周面には、下端に容器と接着するための貼着リング（２３０）を外側へ周設し、この貼着リングの上方に、液体用紙容器の場合には、容器に取り付けるときに必要となる４個の仮止め突起（２１１）を周方向へ等間隔で突設するものである。
【００１５】
実施形態２の押込み方式ワンピース口栓（１０）のキャップ（１００）の構造は、図３（ａ）及び図２に示すように、天板部（１１０）の外周に、下方内側へ傾斜する周壁部（１２０）を垂設し、この周壁部の上端部外周面に、４個の回転用突起（１２１）を周方向へ等間隔で外側へ突設し、この回転用突起の下方で環状薄肉脆弱線部（３００）より上方の周壁部外周面に、外周に垂直密着面（１２４）をもつ封止リング（１２３）を設けるものである。スパウト（２００）は、環状台座部（２１０）に注出筒部（２２０）を立設し、この注出筒部の内周面に、図３（ｂ）に示すように、キャップ（１００）の封止リング（１２３）の外周の垂直密着面（１２４）と密接する垂直密接面（２２１）を設けるものである。また、環状台座部の外周面には、下端に容器と接着するための貼着リング（２３０）を外側へ周設し、この貼着リングの上方に、液体用紙容器の場合には、容器に取り付けるときに必要となる４個の仮止め突起（２１１）を周方向へ等間隔で突設するものである。
【００１６】
実施形態３の押込み方式ワンピース口栓（１０）のキャップ（１００）の構造は、図４（ａ）及び図２に示すように、天板部（１１０）の外周に、下方内側へ傾斜する周壁部（１２０）を垂設し、この周壁部の上端部外周面に、４個の回転用突起（１２１）を周方向へ等間隔で外側へ突設し、この回転用突起の下方で環状薄肉脆弱線部（３００）より上方の周壁部外周面に、垂直密接面（１２４）とこの垂直密接面の下端に咬合リング（１２５）を設けるものである。スパウト（２００）は、環状台座部（２１０）に注出筒部（２２０）を立設し、この注出筒部の内周面に、図４（ｂ）に示すように、キャップ（１００）の垂直密接面（１２４）と密接する垂直密接面（２２１）を設け、この垂直密接面の下端にキャップの咬合リング（１２５）と咬合する咬合段差（２２２）を設けるものである。また、環状台座部の外周面には、下端に容器と接着するための貼着リング（２３０）を外側へ周設し、この貼着リングの上方に、液体用紙容器の場合には、容器に取り付けるときに必要となる４個の仮止め突起（２１１）を周方向へ等間隔で突設するものである。
【００１７】
そして、実施形態４の押込み方式ワンピース口栓（１０）は、図５（ａ）及び（ｂ）に示すように、実施形態１の押込み方式ワンピース口栓の環状薄肉脆弱線部のパーティングライン（ＰＬ）上の外側上面に、左右２個の小さな破断誘発突起（３１０，３１０）を設けるものである。
【００１８】
なお、上述の環状薄肉脆弱線部のパーティングライン（ＰＬ）上の外側上面に破断誘発突起を設けると、開封するときに、キャップの周壁部の上端部外周面に設けられた回転用突起によってキャップを回転しながらスパウトへ押し込むと、キャップの回転によって破断誘発突起が切断されることが環状薄肉脆弱線部の破断のきっかけとなって、環状薄肉脆弱線部の破断がし易くなる。図６のグラフに示すように、破断誘発突起のある口栓は、破断誘発突起のない口栓と比較すると、キャップの回転始め時のトルク値が高くなるが、それ以降のトルク値が急速に低下して環状薄肉脆弱線部が破断し易くなる。つまり、環状薄肉脆弱線部を破断するために必要な全エネルギー（トルク×回転角度）が少なくて済む。
【００１９】
【発明の効果】
本発明の押込み方式ワンピース口栓は、キャップとスパウトとが環状薄肉脆弱線部を介して接続した一体成形品であり、開封するときに、キャップを回転させながら押し込むことにより、環状薄肉脆弱線部を破断させて、キャップをスパウトから容易に分離することができる。
【００２０】
また、本発明の押込み方式ワンピース口栓は、再封止するときに、分離したキャップをスパウトに押し込むことにより、密封性が良好に封止することができる。また、環状薄肉脆弱線部の破断バリは、再封止したときに、口栓の外部からは見えず、外観性も良好である。
【００２１】
また、キャップは、正立の状態でスパウトに接続されているので、容器に付けられたのちの流通過程において、キャップの内面が汚染されることがなく、衛生的である。
【図面の簡単な説明】
【図１】（ａ）は、本発明の一実施形態の押込み方式ワンピース口栓の一部を切欠いた正面図であり、（ｂ）は、そのワンピース口栓のキャップをスパウトに押し込んで分離と同時に密封したときの一部を切欠いた正面図である。
【図２】図１の押込み方式ワンピース口栓の平面図である。
【図３】（ａ）は、本発明の他の一実施形態の押込み方式ワンピース口栓の一部を切欠いた正面図であり、（ｂ）は、そのワンピース口栓のキャップをスパウトに押し込んで分離と同時に密封したときの一部を切欠いた正面図である。
【図４】（ａ）は、本発明の他の一実施形態の押込み方式ワンピース口栓の一部を切欠いた正面図であり、（ｂ）は、そのワンピース口栓のキャップをスパウトに押し込んで分離と同時に密封したときの一部を切欠いた正面図である。
【図５】（ａ）は、パーティングライン上の環状薄肉脆弱線部に破断誘発突起を設けた図１（ａ）に示す押込み方式ワンピース口栓の一部を切欠いた正面図であり、（ｂ）は、そのＡ−Ａ’断面図である。
【図６】図５（ａ）の押込み方式ワンピース口栓のキャップを回転させてスパウトへ押し込むときの回転角度に対するトルク値のグラフである。
【図７】従来の一例のワンピース口栓の一部を切欠いた正面図である。
【符号の説明】
１０……口栓
２０……容器
２１……口栓取付孔
１００……キャップ
１１０……天板部
１２０……周壁部
１２１……回転用突起
１２２，１２３……封止リング
１２４，２２１……垂直密接面
１２５……咬合リング
２００……スパウト
２１０……環状台座部
２１１……仮止め突起
２２０……注出筒部
２２２……咬合段差
２２３……カット溝
２３０……貼着リング
３００……環状薄肉脆弱線部
３０１……破断バリ
３１０……破断誘発突起
【図１】
2004244068.tif 000003
【図２】
2004244068.tif 000004
【図３】
2004244068.tif 000005
【図４】
2004244068.tif 000006
【図５】
2004244068.tif 000007
【図６】
2004244068.tif 000008
【図７】
2004244068.tif 000009